(57)【要約】【課題】通信相手の無線端末機器に応じて送受信する無線信号の形式を変更することにより、無線端末機器の内蔵電池の消耗量を抑圧することを可能にした無線端末機器を提供する。【解決手段】通信相手の無線端末機器との間で無線信号を送受信する際に、ベースバンド信号をスペクトル拡散し、得られたスペクトル拡散信号をマッピングしてＩＱ信号を形成し、形成したＩＱ信号を能動フィルタを多段接続したローパスフィルタを通した後、ＱＰＳＫ変調して高周波信号を形成し、この高周波信号を無線信号として送信する無線端末機器であって、通信相手の無線端末機器がホットスポットである場合、ローパスフィルタとして多段接続した全部の能動フィルタを選択使用し、通信相手の無線端末機器が近距離にある無線端末機器である場合、ローパスフィルタとして多段接続した一部の能動フィルタを選択使用するようにした。【選択図】        図１
2005020495.tif 000002
【特許請求の範囲】
【請求項１】
通信相手の無線端末機器との間で無線信号を送受信する際に、ベースバンド信号をスペクトル拡散し、得られたスペクトル拡散信号をマッピングしてＩＱ信号を形成し、形成したＩＱ信号を能動フィルタを多段接続したローパスフィルタを通した後、ＱＰＳＫ変調して高周波信号を形成し、この高周波信号を無線信号として送信する無線端末機器であって、通信相手の無線端末機器がホットスポットである場合、前記ローパスフィルタとして多段接続した全部の能動フィルタを選択的に使用し、通信相手の無線端末機器が近距離にある無線端末機器である場合、前記ローパスフィルタとして多段接続した一部の能動フィルタを選択的に使用するようにしたことを特徴とする無線携帯端末機器。
【請求項２】
前記近距離にある無線端末機器と無線信号の送受信を行う場合、前記ホットスポットと無線信号の送受信を行う場合に比べて、送信する無線信号の出力電力レベルを低下させることを特徴とする請求項１に記載の無線端末機器。
【発明の詳細な説明】
【０００１】
【発明の属する技術分野】
本発明は、無線端末機器に係り、特に、通信相手の無線端末機器との間で無線信号の送受信を行う際に、通信相手の無線端末機器がホットスポットである場合または近距離に無線端末機器である場合に応じて、送受信する無線信号の形成手段を異ならせ、内蔵電池の消耗できるだけを少なくした無線端末機器に関する。
【０００２】
【従来の技術】
近年、ゲーム機用情報端末や携帯用パソコン（ＰＣ）等の携帯用情報端末（ＰＤＡ）には、無線伝送装置を内蔵したものや、カード型無線伝送装置を搭載できる無線端末機器が多くなり、それによって相手側の無線端末機器との間で無線信号による送受信を行うことができるようになっている。
【０００３】
かかる無線端末機器は、屋外にあるホットスポットとの間で無線信号の送受信を行ったり、互いに近距離にある無線端末機器同士間で無線信号の送受信を行ったりすることができるものであり、無線信号の送受信を行うことによって、相手側の無線端末機器から各種の情報を取得したり、ゲームソフト等をダウンロードすることが行われている。この場合、無線端末機器が使用している無線信号は、通常、ホットスポット側がＩＥＥＥ８０２．１１ｂ（ＡＲＩＢ  ＳＴＤ  Ｔ−６６）規格の無線ＬＡＮ（以下、これを１１ｂ規格という）の無線信号を用いているため、ホットスポットとの間で無線信号の送受信を行う場合、１１ｂ規格に適合した無線信号を用いており、それに伴って、ホットスポット以外の他の無線端末機器との間で無線信号の送受信を行う場合においても、１１ｂ規格に適合した無線信号を用いるようになっている。
【０００４】
この１１ｂ規格に適合した無線信号は、次のような特性を満たすものでなければならない。
【０００５】
送信スペクトルマスク：「−３０ｄＢｃ（ｆｃ−２２ＭＨｚ＜ｆ＜ｆｃ−１１ＭＨｚ；ｆｃ＋１１ＭＨｚ＜ｆ＜ｆｃ＋２２ＭＨｚ）、−５０ｄＢｃ（ｆ＜ｆｃ−２２ＭＨｚ；ｆ＞ｆｃ＋２２ＭＨｚ）」
この場合、ｆｃはチャネル周波数であり、それぞれ２４１２、２４２２、２４３２、２４４２、２４５２、２４６２ＭＨｚである。
隣接チャネル選択度：「＞３５ｄＢ；２５ＭＨｚ」
【０００６】
ところで、１１ｂ規格の無線信号を用いて送受信が行われる無線端末機器においては、無線信号の代表的な信号形式として、ダイレクトコンバージョン方式を用いた信号形式が採用されている。このダイレクトコンバージョン方式を用いた信号形式は、１１ｂ規格に適合した性能を確保するために、無線周波モジュールとベースバンドＩＣとのインターフェイス部に、能動フィルタを多段接続したローパスフィルタを用い、Ｉ信号及びＱ信号の周波数選択度を高めている。
【０００７】
【発明が解決しようとする課題】
前記無線端末機器に採用されているダイレクトコンバージョン方式を用いた信号形式は、能動フィルタを多段接続したローパスフィルタを用いて周波数選択度を高めているため、ローパスフィルタにおける電力消費量が大きくなり、それにより内蔵電池の消耗度が進んで、内蔵電池の使用寿命が短くなってしまう。
【０００８】
とりわけ、ゲーム機のように無線端末機器が互いに３乃至５ｍ程度またはそれ以下という近距離にあって、これらの無線端末機器同士間で無線信号の送受信を行う場合、無線端末機器の使用時間が比較的長くなることが普通であるので、無線端末機器における内蔵電池の電力消費量が大きいと、その内蔵電池の消耗度が著しく進み、内蔵電池の使用寿命が大幅に短くなってしまう。
【０００９】
本発明は、このような技術的背景に鑑みてなされたもので、その目的は、通信相手の無線端末機器に応じて送受信する無線信号の形式を変更することにより、無線端末機器の内蔵電池の消耗量を抑圧することを可能にした無線端末機器を提供することにある。
【００１０】
【課題を解決するための手段】
前記目的を達成するために、本発明による無線端末機器は、通信相手の無線端末機器との間で無線信号を送受信する際に、ベースバンド信号をスペクトル拡散し、得られたスペクトル拡散信号をマッピングしてＩＱ信号を形成し、形成したＩＱ信号を能動フィルタを多段接続したローパスフィルタを通した後、ＱＰＳＫ変調して高周波信号を形成し、この高周波信号を無線信号として送信する無線端末機器であって、通信相手の無線端末機器がホットスポットである場合、ローパスフィルタとして多段接続した全部の能動フィルタを選択的に使用し、通信相手の無線端末機器が近距離にある無線端末機器である場合、ローパスフィルタとして多段接続した一部の能動フィルタを選択的に使用するようにした手段を具備する。
【００１１】
前記手段によれば、通信相手の無線端末機器がホットスポットである場合は、ホットスポットで用いている１１ｂ規格の無線信号に適合した無線信号の形成手段を用いて送信信号を形成しているので、ホットスポットと複数の無線端末機器との間で無線信号の送受信を行う場合に、複数の無線端末機器が相互に妨害を受けることなく、ホットスポットとの間で良好な伝送状態により無線信号の送受信を行うことができるとともに、通信相手の無線端末機器が近距離にある無線端末機器である場合は、送受信する無線信号が特に１１ｂ規格に制約されないことから、ローパスフィルタとして多段接続した一部の能動フィルタを選択的に使用して形成したＩＱ信号をＱＰＳＫ変調して高周波信号を形成し、この高周波信号による無線信号を用いるようにしたので、使用する能動フィルタの数を少なくした分だけ、電力消費量を少なくした状態で無線信号を形成することができ、それにより内蔵電池の使用寿命を長くすることができる。
【００１２】
また、前記手段において、近距離にある無線端末機器と無線信号の送受信を行う場合、ホットスポットと無線信号の送受信を行う場合に比べて、送信する無線信号の出力電力レベルを低下させる構成にする。
【００１３】
このような構成にすれば、通信相手の無線端末機器が近距離にある無線端末機器である場合、送信する無線信号の出力電力レベルを低下させたことにより、電力増幅器における電力消費量を少なくすることができ、能動フィルタの使用数を減らしたことと相俟って、電力消費量をさらに少なくすることができる。
【００１４】
【発明の実施の形態】
以下、本発明の実施の形態を図面を参照して説明する。
【００１５】
図１は、本発明による無線ネットワーク端末装置の１つの実施の形態を示すもので、その要部構成を表すブロック図である。
【００１６】
図１に示されるように、この実施の形態に係る無線端末機器は、ベースバンド（ＢＢ）ＩＣ（１Ａ）と高周波（ＲＦ）モジュール（１Ｂ）の２つの回路部分とからなっている。
【００１７】
この場合、ベースバンドＩＣ（１Ａ）は、ベースバンド（データ）信号入力端子２と、スペクトル拡散部（ＳＰＲ）３と、マッピング回路部（ＭＡＰ）４と、Ｉ信号出力端子５と、Ｑ信号出力端子６と、Ｉ信号入力端子７と、Ｑ信号入力端子８と、データ再生部（ＲＥＰ）９と、ベースバンド（データ）信号出力端子１０と、制御部（ＣＰＵ）１１と、制御信号出力端子１２とを備えている。
【００１８】
また、高周波モジュール（１Ｂ）は、Ｉ信号入力端子１３と、Ｑ信号入力端子１４と、第１スイッチ１５と、第２スイッチ１６と、Ｉ信号第１能動ローパスフィルタ（ＬＰＦ１）１７と、Ｑ信号第１能動ローパスフィルタ（ＬＰＦ１）１８と、第３スイッチ１９と、第４スイッチ２０と、Ｉ信号第２能動ローパスフィルタ（ＬＰＦ２）２１と、Ｑ信号第１能動ローパスフィルタ（ＬＰＦ２）２２と、Ｉ信号ミキサ（ＭＩＸ）２３と、Ｑ信号ミキサ（ＭＩＸ）２４と、可変利得増幅器（Ｖ  ＡＭＰ）２５と、送信側平衡回路（Ｂａｌ）２６と、電力増幅器（ＰＡ）２７と、送受信切替スイッチ部（ＴＲＳＷ）２８と、バンドパスフィルタ（ＢＰＦ）２９と、ダイバーシティ切替部（ＤｉｖＳＷ）３０と、受信側平衡回路（Ｂａｌ）３１と、受信増幅器（ＡＭＰ）３２と、Ｉ信号ミキサ（ＭＩＸ）３３と、Ｑ信号ミキサ（ＭＩＸ）３４と、Ｉ信号増幅器（ＡＭＰ）３５と、Ｑ信号増幅器（ＡＭＰ）３６と、Ｉ信号第１能動ローパスフィルタ（ＬＰＦ１）３７と、Ｑ信号第１能動ローパスフィルタ（ＬＰＦ１）３８と、第５スイッチ３９と、第６スイッチ４０と、Ｉ信号第２能動ローパスフィルタ（ＬＰＦ２）４１と、Ｑ信号第２能動ローパスフィルタ（ＬＰＦ２）４２と、第７スイッチ４３と、第８スイッチ４４と、Ｉ信号出力端子４５と、Ｑ信号出力端子４６と、２つの内蔵アンテナ４７、４８と、局部発振器（Ｌ  ＯＳＣ）４９と、水晶振動子５０と、制御信号入力端子５１とからなっている。
【００１９】
この場合、第１乃至第８スイッチ１５、１６、１９、２０、３９、４０、４３、４４は、それぞれ、可動接点と２つの固定接点を備えた１回路２接点タイプのスイッチによって構成されている。また、Ｉ信号第１能動ローパスフィルタ１７、Ｑ信号第１能動ローパスフィルタ１８、Ｉ信号第２能動ローパスフィルタ２１、Ｑ信号第２能動ローパスフィルタ２２、Ｉ信号第１能動ローパスフィルタ３７、Ｑ信号第１能動ローパスフィルタ３８、Ｉ信号第２能動ローパスフィルタ４１、Ｑ信号第２能動ローパスフィルタ４２は、それぞれ、能動フィルタを２段またはそれ以上の段を従属接続した構成を有するものである。
【００２０】
そして、ベースバンドＩＣ（１Ａ）において、スペクトル拡散部３は、入力端がベースバンド信号入力端子２に接続され、複数の出力端が対応するマッピング回路部４の複数の入力端に接続される。マッピング回路部４は、Ｉ信号出力端がＩ信号出力端子５に接続され、Ｑ信号出力端がＱ信号出力端子６に接続される。データ再生部９は、Ｉ信号入力端がＩ信号入力端子７に接続され、Ｑ信号入力端がＱ信号入力端子８に接続され、出力端がベースバンド信号出力端子１０に接続される。制御部１１は、制御出力端が制御信号出力端子１２に接続される。
【００２１】
また、高周波モジュール（１Ｂ）において、第１スイッチ１５は、可動接点がＩ信号入力端子１３に接続され、第１の固定接点がＩ信号第１能動ローパスフィルタ１７の入力端に接続され、第２の固定接点が第３スイッチ１９の第２の固定接点に直接接続される。第２スイッチ１６は、可動接点がＱ信号入力端子１４に接続され、第１の固定接点がＱ信号第１能動ローパスフィルタ１８の入力端に接続され、第２の固定接点が第４スイッチ２０の第２の固定接点に直接接続される。第３スイッチ１９は、第１の固定接点がＩ信号第１能動ローパスフィルタ１７の出力端に接続され、可動接点がＩ信号第２能動ローパスフィルタ２１の入力端に接続される。第４スイッチ２０は、第１の固定接点がＱ信号第１能動ローパスフィルタ１８の出力端に接続され、可動接点がＱ信号第２能動ローパスフィルタ２２の入力端に接続される。Ｉ信号ミキサ２３は、第１の入力端がＩ信号第２能動ローパスフィルタ２１の出力端に接続され、第２の入力端が局部発振器４９の第１の出力端に接続され、出力端が可変利得増幅器２５の入力端に接続される。Ｑ信号ミキサ２４は、第１の入力端がＱ信号第２能動ローパスフィルタ２２の出力端に接続され、第２の入力端が局部発振器４９の第２の出力端に接続され、出力端が可変利得増幅器２５の入力端に接続される。可変利得増幅器２５は、出力端が送信側平衡回路２６の入力端に接続され、送信側平衡回路２６は、出力端が電力増幅器２７の入力端に接続される。送受信切替スイッチ部２８は、入力端が電力増幅器２７の出力端に接続され、入出力端がバンドパスフィルタ２９の一方の入出力端に接続され、出力端が受信側平衡回路３１の入力端に接続される。ダイバーシティ切替部３０は、入出力端がバンドパスフィルタ２９の他方の入出力端に接続され、第１のアンテナ接続端が内蔵アンテナ４７に、第２のアンテナ接続端が内蔵アンテナ４８にそれぞれ接続される。
【００２２】
受信増幅器３２は、入力端が受信側平衡回路３１の出力端に接続され、出力端がＩ信号ミキサ３３の第１の入力端及びＱ信号ミキサ３４の第１の入力端にそれぞれ接続される。Ｉ信号ミキサ３３は、第２の入力端が局部発振器４９の第３の出力端に接続され、出力端がＩ信号増幅器３５の入力端に接続される。Ｑ信号ミキサ３４は、第２入力端が局部発振器４９の第４の出力端に接続され、出力端がＱ信号増幅器３６の入力端に接続される。Ｉ信号増幅器３５は、出力端がＩ信号第１能動ローパスフィルタ３７の入力端に接続され、Ｑ信号増幅器３６は、出力端がＱ信号第１能動ローパスフィルタ３８の入力端に接続される。第５スイッチ３９は、可動接点がＩ信号第１能動ローパスフィルタ３７の出力端に接続され、第１の固定接点がＩ信号第２能動ローパスフィルタ４１の入力端に接続され、第２の固定接点が第７スイッチ４３の第２の固定接点に直接接続される。第６スイッチ４０は、可動接点がＱ信号第１能動ローパスフィルタ３８の出力端に接続され、第１の固定接点がＱ信号第２能動ローパスフィルタ４２の入力端に接続され、第２の固定接点が第８スイッチ４４の第２の固定接点に直接接続される。第７スイッチ４３は、第１の固定接点がＩ信号第２能動ローパスフィルタ４１の出力端に接続され、可動接点がＩ信号出力端子４５に接続される。第８スイッチ４４は、第１の固定接点がＱ信号第２能動ローパスフィルタ４２の出力端に接続され、可動接点がＱ信号出力端子４６に接続される。なお、局部発振器４９には、水晶振動子５０が外部接続されている。
【００２３】
さらに、ベースバンドＩＣ（１Ａ）のＩ信号出力端子５と高周波モジュール（１Ｂ）のＩ信号入力端子１３とが接続され、ベースバンドＩＣ（１Ａ）のＱ信号出力端子６と高周波モジュール（１Ｂ）のＱ信号入力端子１４とが接続される。高周波モジュール（１Ｂ）のＩ信号出力端子４５とベースバンドＩＣ（１Ａ）のＩ信号入力端子７とが接続され、高周波モジュール（１Ｂ）のＱ信号出力端子４６とベースバンドＩＣ（１Ａ）のＱ信号入力端子８とが接続される。ベースバンドＩＣ（１Ａ）の制御信号出力端子１２と高周波モジュール（１Ｂ）の制御信号入力端子４５とが接続される。
【００２４】
前記構成を有する無線端末機器は、次のように動作する。
【００２５】
いま、当該無線端末機器が送受信を行う相手側の無線端末機器として、屋外に配置されているホットスポットを選択した場合は、ホットスポットにおける伝送信号規格であるところの１１ｂ規格の無線信号による伝送が行われるもので、当該無線端末機器の高周波モジュール（１Ｂ）にある第１乃至第８スイッチ１５、１６、１９、２０、３９、４０、４３、４４の各可動接点をそれぞれ第１の固定接点側に切替える（この状態を第１の切替状態という）。この場合、第１乃至第８スイッチ１５、１６、１９、２０、３９、４０、４３、４４は、制御部１１の制御により連動して切替えられる。第１の切替状態に設定されたとき、Ｉ信号第１能動ローパスフィルタ１７、Ｑ信号第１能動ローパスフィルタ１８、Ｉ信号第２能動ローパスフィルタ４１、Ｑ信号第２能動ローパスフィルタ４２のそれぞれが信号処理回路に挿入接続され、それによりＩ信号第１能動ローパスフィルタ１７とＩ信号第２能動ローパスフィルタ２１とが従属接続され、Ｑ信号第１能動ローパスフィルタ１８とＱ信号第２能動ローパスフィルタ２２とが従属接続され、Ｉ信号第１能動ローパスフィルタ３７とＩ信号第２能動ローパスフィルタ４１とが従属接続され、Ｑ信号第１能動ローパスフィルタ３８とＱ信号第２能動ローパスフィルタ４２とが従属接続された状態になる。
【００２６】
このとき、当該無線端末機器において送信信号を形成する場合は、ベースバンドＩＣ（１Ａ）において、データ信号がベースバンド信号入力端子２を通してスペクトル拡散部３に供給されると、スペクトル拡散部４がそのデータ信号をスペクトル拡散して種々の周波数スペクトルを有する複数のスペクトル拡散信号を形成し、形成した複数のスペクトル拡散信号をマッピング回路部４に供給する。マッピング回路部４は、供給された複数のスペクトル拡散信号をマッピング処理してＩ信号とＱ信号を形成し、得られたＩ信号をＩ信号出力端子５に供給し、同じように、得られたＱ信号をＱ信号出力端子６に供給する。この後、Ｉ信号はＩ信号出力端子５からＩ信号入力端子１３に伝送供給され、Ｑ信号はＱ信号出力端子６からＱ信号入力端子１４に伝送供給される。
【００２７】
次に、高周波モジュール（１Ｂ）において、Ｉ信号入力端子１３に供給されたＩ信号は、切替えられた第１スイッチ１５を通してＩ信号第１能動ローパスフィルタ１７に供給され、そこで不要な周波数成分が除去された後、切替えられた第３スイッチ１９を通してＩ信号第２能動ローパスフィルタ２１に供給され、そこで再度不要な周波数成分が十分に除去され、Ｉ信号ミキサ２３に供給される。同様にして、Ｑ信号入力端子１４に供給されたＱ信号は、切替えられた第２スイッチ１６を通してＱ信号第１能動ローパスフィルタ１８に供給され、そこで不要な周波数成分が除去された後、切替えられた第４スイッチ２０を通してＱ信号第２能動ローパスフィルタ２２に供給され、そこで再度不要な周波数成分が十分に除去され、Ｑ信号ミキサ２４に供給される。Ｉ信号ミキサ２３は、供給されたＩ信号と局部発振器４９から供給された局部発振信号とを用いてＱＰＳＫ変調による送信高周波Ｉ信号を形成し、この送信高周波Ｉ信号を可変利得増幅器２５に供給する。Ｑ信号ミキサ２４は、供給されたＱ信号と局部発振器４９から供給された局部発振信号とを用いてＱＰＳＫ変調による送信高周波Ｑ信号を形成し、この送信高周波Ｑ信号を可変利得増幅器２５に供給する。可変利得増幅器２５は、第１の切替状態になっらとき、制御部１１から制御信号出力端子１２及び制御信号入力端子４５を通して供給される利得制御信号により、信号利得が最大になるように設定され、その最大利得で送信高周波Ｉ信号及び送信高周波Ｑ信号の混合信号を増幅し、送信高周波信号を形成する。増幅された送信高周波信号は、送信側平衡回路２６を通して電力増幅器２７に供給され、そこで送信高周波信号が送信するのに適した電力レベル、例えば１０ｄＢｍ程度になるように電力増幅され、送受信切替スイッチ部２８に供給される。送受信切替スイッチ部２８は、信号送信時に送信高周波信号を伝送するように切替られており、それにより送信高周波信号が送受信切替スイッチ部２８を通してバンドパスフィルタ２９に供給される。送信高周波信号は、バンドパスフィルタ２９において不要な周波数成分が除去され、ダイバーシティ切替部３０に供給される。ダイバーシティ切替部３０は、供給された送信高周波信号を内蔵アンテナ４７、４８からそれぞれ無線信号として送信する。
【００２８】
これに対して、当該無線端末機器において無線信号を受信する場合は、高周波モジュール（１Ｂ）において、内蔵アンテナ４７、４８で無線信号を受信すると、ダイバーシティ切替部３０が受信した２つの無線信号の中の良好な受信状態のものを受信高周波信号として選択し、選択した受信高周波信号をバンドパスフィルタ２９に供給する。受信高周波信号は、バンドパスフィルタ２９において不要な周波数成分が除去され、送受信切替スイッチ部２８に供給される。送受信切替スイッチ部３０は、信号受信時に受信高周波信号を伝送するように切替られており、それにより受信高周波信号が送受信切替スイッチ部２８を通して受信側平衡回路３１に供給される。この後、受信高周波信号は、受信側平衡回路３１を通して受信増幅器３２に供給され、そこで適当な信号レベルになるように増幅される。増幅された受信高周波信号は、２分され、その一方がＩ信号ミキサ３３に供給され、他方がＱ信号ミキサ３４に供給される。Ｉ信号ミキサ３３は、供給された受信高周波信号と局部発振器４９から供給された局部発振信号とを用いてＱＰＳＫ復調を行い、ＱＰＳＫ復調されたＩ信号をＩ信号増幅器３５に供給する。同様に、Ｑ信号ミキサ３４は、供給された受信高周波信号と局部発振器４９から供給された局部発振信号とを用いてＱＰＳＫ復調を行い、ＱＰＳＫ復調されたＱ信号をＱ信号増幅器３６に供給する。Ｉ信号増幅器３５は、供給されたＩ信号を所定信号レベルになるまで増幅し、増幅したＩ信号をＩ信号第１能動ローパスフィルタ３７に供給する。同様に、Ｑ信号増幅器３６は、供給されたＱ信号を所定信号レベルになるまで増幅し、増幅したＱ信号をＱ信号第１能動ローパスフィルタ３８に供給する。Ｉ信号は、Ｉ信号第１能動ローパスフィルタ３７において不要な周波数成分が除去された後、切替えられた第５スイッチ３９を通してＩ信号第２能動ローパスフィルタ４１に供給される。次いで、Ｉ信号は、Ｉ信号第２能動ローパスフィルタ４１において再度不要な周波数成分が十分に除去され、切替えられた第７スイッチ４３を通してＩ信号出力端子４５に供給される。同じように、Ｑ信号は、Ｑ信号第１能動ローパスフィルタ３８において不要な周波数成分が除去された後、切替えられた第６スイッチ４０を通してＱ信号第２能動ローパスフィルタ４２に供給される。次いで、Ｑ信号は、Ｑ信号第２能動ローパスフィルタ４２において再度不要な周波数成分が十分に除去され、切替えられた第８スイッチ４４を通してＱ信号出力端子４６に供給される。
【００２９】
この後、Ｉ信号はＩ信号出力端子４５からＩ信号入力端子７に伝送供給され、Ｑ信号はＱ信号出力端子４６からＱ信号入力端子８に伝送供給される。
【００３０】
次いで、ベースバンドＩＣ（１Ａ）において、Ｉ信号入力端子７に供給されたＩ信号及びＱ信号入力端子８に供給されたＱ信号は、データ再生部９に供給される。データ再生部９は、供給されたＩ信号及びＱ信号に対応してマッピング回路部４で行われた信号処理と逆の信号処理及びスペクトル拡散部３で行われた信号処理と逆の信号処理をそれぞれ行ってデータ信号を再生する。得られたデータ信号は、ベースバンド信号出力端子１０に供給される。
【００３１】
一方、当該無線端末機器がゲーム機情報端末であって、当該無線端末機器が送受信を行う相手側の無線端末機器として、同じ部屋内等の近距離にある他のゲーム機情報端末を選択した場合は、伝送信号規格として１１ｂの規格を用いる必要がないため、１１ｂ規格よりもゆるやかな、例えばＦＣＣ・ＴＥＬＥＫによる伝送信号の規格を満足するように設定する。
【００３２】
すなわち、ＴＥＬＥＫによる規格は、送信スペクトルマスク：２３６７−２４００ＭＨｚ、２４９８．５ＭＨｚ＜２５μＷ（−１６ｄＢｍ）、ｆ＜２３８７ＭＨｚ、ｆ＜２．５μＷ（−２６ｄＢｍ）であり、ＦＣＣによる規格は、送信スペクトルマスク：＜−２０ｄＢｍであって、両規格共に、受信信号に対する規定はないものである。
【００３３】
このような設定にするため、当該無線端末機器は、高周波モジュール（１Ｂ）にある第１乃至第８スイッチ１５、１６、１９、２０、３９、４０、４３、４４の各可動接点をそれぞれ第２の固定接点側に切替える（この状態を第２の切替状態という）。この場合において、第１乃至第８スイッチ１５、１６、１９、２０、３９、４０、４３、４４は、制御部１１の制御により連動して切替えられる。第２の切替状態になると、Ｉ信号第２能動ローパスフィルタ２１、Ｑ信号第２能動ローパスフィルタ２２、Ｉ信号第１能動ローパスフィルタ３７、Ｑ信号第１能動ローパスフィルタ３８だけが信号処理回路に挿入接続され、Ｉ信号第１能動ローパスフィルタ１７、Ｑ信号第１能動ローパスフィルタ１８、Ｉ信号第２能動ローパスフィルタ４１、Ｑ信号第２能動ローパスフィルタ４２が信号処理回路から離脱された状態に設定される。
【００３４】
このとき、当該無線端末機器において送信信号を形成する場合は、ベースバンドＩＣ（１Ａ）における信号処理は第１の切替状態のときと同じであって、データ信号がベースバンド信号入力端子２を通してスペクトル拡散部３に供給されると、スペクトル拡散部４がそのデータ信号をスペクトル拡散して種々の周波数スペクトルを有する複数のスペクトル拡散信号を形成し、形成した複数のスペクトル拡散信号をマッピング回路部４に供給する。マッピング回路部４は、供給された複数のスペクトル拡散信号をマッピング処理してＩ信号とＱ信号を形成し、得られたＩ信号をＩ信号出力端子５に供給し、同じように、得られたＱ信号をＱ信号出力端子６に供給する。この後、Ｉ信号はＩ信号出力端子５からＩ信号入力端子１３に伝送供給され、Ｑ信号はＱ信号出力端子６からＱ信号入力端子１４に伝送供給される。
【００３５】
次に、高周波モジュール（１Ｂ）において、Ｉ信号入力端子１３に供給されたＩ信号は、切替えられた第１スイッチ１５及び第３スイッチ１９を通して直接Ｉ信号第２能動ローパスフィルタ２１に供給され、そこで不要な周波数成分が除去され、Ｉ信号ミキサ２３に供給される。同様に、Ｑ信号入力端子１４に供給されたＱ信号は、切替えられた第２スイッチ１６及び第４スイッチ２０を通して直接Ｑ信号第２能動ローパスフィルタ２２に供給され、そこで不要な周波数成分が除去され、Ｑ信号ミキサ２４に供給される。Ｉ信号ミキサ２３は、供給されたＩ信号と局部発振器４９から供給された局部発振信号とを用いてＱＰＳＫ変調による送信高周波Ｉ信号を形成し、この送信高周波Ｉ信号を可変利得増幅器２５に供給する。Ｑ信号ミキサ２４は、供給されたＱ信号と局部発振器４９から供給された局部発振信号とを用いてＱＰＳＫ変調による送信高周波Ｑ信号を形成し、この送信高周波Ｑ信号を可変利得増幅器２５に供給する。可変利得増幅器２５は、第２の切替状態になったとき、制御部１１から制御信号出力端子１２及び制御信号入力端子４５を通して供給される利得制御信号により、信号利得が中位になるように設定され、その中位利得で送信高周波Ｉ信号及び送信高周波Ｑ信号の混合信号を増幅し、送信高周波信号を形成する。増幅された送信高周波信号は、送信側平衡回路２６を通して電力増幅器２７に供給され、そこで送信高周波信号が送信するのに適した電力レベル、例えば０ｄＢｍ程度になるように電力増幅され、送受信切替スイッチ部２８に供給される。送受信切替スイッチ部２８は、信号送信時に送信高周波信号を伝送するように切替られており、それにより送信高周波信号が送受信切替スイッチ部２８を通してバンドパスフィルタ２９に供給される。送信高周波信号は、バンドパスフィルタ２９において不要な周波数成分が除去され、ダイバーシティ切替部３０に供給される。ダイバーシティ切替部３０は、供給された送信高周波信号を内蔵アンテナ４７、４８からそれぞれ無線信号として送信する。
【００３６】
これに対し、当該無線端末機器において無線信号を受信する場合は、高周波モジュール（１Ｂ）において、内蔵アンテナ４７、４８で無線信号を受信すると、ダイバーシティ切替部３０が受信した２つの無線信号の中の良好な受信状態のものを受信高周波信号として選択し、選択した受信高周波信号をバンドパスフィルタ２９に供給する。受信高周波信号は、バンドパスフィルタ２９において不要な周波数成分が除去され、送受信切替スイッチ部２８に供給される。送受信切替スイッチ部３０は、信号受信時に受信高周波信号を伝送するように切替られており、それにより受信高周波信号が送受信切替スイッチ部２８を通して受信側平衡回路３１に供給される。この後、受信高周波信号は、受信側平衡回路３１を通して受信増幅器３２に供給され、そこで適当な信号レベルになるように増幅される。増幅された受信高周波信号は、２分され、その一方がＩ信号ミキサ３３に供給され、他方がＱ信号ミキサ３４に供給される。Ｉ信号ミキサ３３は、供給された受信高周波信号と局部発振器４９から供給された局部発振信号とを用いてＱＰＳＫ復調を行い、ＱＰＳＫ復調されたＩ信号をＩ信号増幅器３５に供給する。同様に、Ｑ信号ミキサ３４は、供給された受信高周波信号と局部発振器４９から供給された局部発振信号とを用いてＱＰＳＫ復調を行い、ＱＰＳＫ復調されたＱ信号をＱ信号増幅器３６に供給する。Ｉ信号増幅器３５は、供給されたＩ信号を所定信号レベルになるまで増幅し、増幅したＩ信号をＩ信号第１能動ローパスフィルタ３７に供給する。同様に、Ｑ信号増幅器３６は、供給されたＱ信号を所定信号レベルになるまで増幅し、増幅したＱ信号をＱ信号第１能動ローパスフィルタ３８に供給する。Ｉ信号は、Ｉ信号第１能動ローパスフィルタ３７において不要な周波数成分が除去された後、切替えられた第５スイッチ３９及び第７スイッチ４３を通して直接Ｉ信号出力端子４５に供給される。同じように、Ｑ信号は、Ｑ信号第１能動ローパスフィルタ３８において不要な周波数成分が除去された後、切替えられた第６スイッチ４０及び第８スイッチ４４を通して直接Ｑ信号出力端子４６に供給される。
【００３７】
この後、Ｉ信号はＩ信号出力端子４５からＩ信号入力端子７に伝送供給され、Ｑ信号はＱ信号出力端子４６からＱ信号入力端子８に伝送供給される。
【００３８】
次いで、ベースバンドＩＣ（１Ａ）において、Ｉ信号入力端子７に供給されたＩ信号及びＱ信号入力端子８に供給されたＱ信号は、データ再生部９に供給される。データ再生部９は、供給されたＩ信号及びＱ信号に対応してマッピング回路部４で行われた信号処理と逆の信号処理及びスペクトル拡散部３で行われた信号処理と逆の信号処理をそれぞれ行ってデータ信号を再生する。得られたデータ信号は、ベースバンド信号出力端子１０に供給される。
【００３９】
この実施の形態による無線端末機器において、Ｉ信号第１能動ローパスフィルタ１７、Ｑ信号第１能動ローパスフィルタ１８、Ｉ信号第２能動ローパスフィルタ２１、Ｑ信号第２能動ローパスフィルタ２２、Ｉ信号第１能動ローパスフィルタ３７、Ｑ信号第１能動ローパスフィルタ３８、Ｉ信号第２能動ローパスフィルタ４１、Ｑ信号第２能動ローパスフィルタ４２のそれぞれにおいて、従属接続される能動フィルタの段数は、少なくとも２段からなるものであり、場合によっては３段またはそれ以上の段数が用いられる。
【００４０】
このように本実施の形態による無線端末機器によれば、通信相手の無線端末機器がホットスポットであって、１１ｂ規格を用いた通信を行う必要がある場合、Ｉ信号及びＱ信号の周波数選択を行うローパスフィルタとして全部の能動フィルタからなるローパスフィルタを選択使用して、隣接チャネルの無線信号に対する妨害の発生が最小限になるようにし、一方、通信相手の無線端末機器が３乃至５ｍまたはそれ以下の近距離にある無線端末機器であって、必ずしも１１ｂ規格を用いた通信を行う必要がない場合、Ｉ信号及びＱ信号の周波数選択を行うローパスフィルタとして一部の能動フィルタからなるローパスフィルタを選択使用し、ローパスフィルタにおける内蔵電源の消費量を抑えるようにしたので、従来のこの種の無線端末機器に比べて、内蔵電源の使用寿命をかなり長くすることができる。
【００４１】
ところで、前記実施の形態においては、可変利得増幅器２５の信号利得を、第２の状態のときに、第１の状態のときの最大利得に対して、最大利得より低い中位利得になるように低下させている例を挙げて説明したが、本発明においては、第２の状態のときであっても、選択使用する能動フィルタの数を減らしたことにより、内蔵電池の電力消費量をかなり低減できるため、電力可変利得増幅器２５の信号利得を必ずしも低下させる必要がないものである。
【００４２】
すなわち、第２の状態のときに、可変利得増幅器２５の信号利得を低下させれば、電力増幅器２７の電力消費量がその分だけ低下するので好ましいことではあるが、能動フィルタの数を減らしたことにより内蔵電源の消費量の大きな低下を期待できるので、可変利得増幅器２５の信号利得を低下させる手段は、必要に応じて採用することで十分足りるものである。
【００４３】
なお、第２の状態に設定されたときには、能動フィルタの段数が減るため、ローパスフィルタのカットオフ周波数が上昇して周波数スペクトラムが拡がってしまい、使用できるチャネル数が若干減少するようになるが、第２の状態は、ホットスポットとの通信のように、多くの人が同時に通信するような環境下でなく、家庭内の一つの室の内部に留まるローカル通信であるので、使用できるチャネル数が減少しても、実用上何ら問題を生じることはない。
【００４４】
【発明の効果】
以上のように、本発明によれば、通信相手の無線端末機器がホットスポットである場合は、ホットスポットで用いている１１ｂ規格の無線信号に適合した無線信号の形成手段を用いて送信信号を形成しているので、ホットスポットと複数の無線端末機器との間で無線信号の送受信を行う場合に、複数の無線端末機器が相互に妨害を受けることなく、ホットスポットとの間で良好な伝送状態により無線信号の送受信を行うことができるとともに、通信相手の無線端末機器が近距離にある無線端末機器である場合は、送受信する無線信号が特に１１ｂ規格に制約されないことから、ローパスフィルタとして多段接続した一部の能動フィルタを選択的に使用して形成したＩＱ信号をＱＰＳＫ変調して高周波信号を形成し、この高周波信号による無線信号を用いるようにしたので、使用する能動フィルタの数を少なくした分だけ、電力消費量を少なくした状態で無線信号を形成することができ、それによって内蔵電池の使用寿命を長くすることができるという効果がある。
【図面の簡単な説明】
【図１】本発明による無線ネットワーク端末装置の１つの実施の形態を示すもので、その要部構成を表すブロック図である。
【符号の説明】
１Ａ  ベースバンド（ＢＢ）ＩＣ
１Ｂ  高周波（ＲＦ）モジュール
２  ベースバンド（データ）信号入力端子
３  スペクトル拡散部（ＳＰＲ）
４  マッピング回路部（ＭＡＰ）
５  Ｉ信号出力端子
６  Ｑ信号出力端子
７  Ｉ信号入力端子
８  Ｑ信号入力端子
９  データ再生部（ＲＥＰ）
１０  ベースバンド（データ）信号出力端子
１１  制御部（ＣＰＵ）
１２  制御信号出力端子
１３  Ｉ信号入力端子
１４  Ｑ信号入力端子
１５  第１スイッチ
１６  第２スイッチ
１７  Ｉ信号第１能動ローパスフィルタ（ＬＰＦ１）
１８  Ｑ信号第１能動ローパスフィルタ（ＬＰＦ１）
１９  第３スイッチ
２０  第４スイッチ
２１  Ｉ信号第２能動ローパスフィルタ（ＬＰＦ２）
２２  Ｑ信号第１能動ローパスフィルタ（ＬＰＦ２）
２３  Ｉ信号ミキサ（ＭＩＸ）
２４  Ｑ信号ミキサ（ＭＩＸ）
２５  可変利得増幅器（Ｖ  ＡＭＰ）
２６  送信側平衡回路（Ｂａｌ）
２７  電力増幅器（ＰＡ）
２８  送受信切替スイッチ部（ＴＲＳＷ）
２９  バンドパスフィルタ（ＢＰＦ）
３０  ダイバーシティ切替部（ＤｉｖＳＷ）
３１  受信側平衡回路（Ｂａｌ）
３２  受信増幅器（ＡＭＰ）
３３  Ｉ信号ミキサ（ＭＩＸ）
３４  Ｑ信号ミキサ（ＭＩＸ）
３５  Ｉ信号増幅器（ＡＭＰ）
３６  Ｑ信号増幅器（ＡＭＰ）
３７  Ｉ信号第１能動ローパスフィルタ（ＬＰＦ１）
３８  Ｑ信号第１能動ローパスフィルタ（ＬＰＦ１）
３９  第５スイッチ
４０  第６スイッチ
４１  Ｉ信号第２能動ローパスフィルタ（ＬＰＦ２）
４２  Ｑ信号第２能動ローパスフィルタ（ＬＰＦ２）
４３  第７スイッチ
４４  第８スイッチ
４５  Ｉ信号出力端子
４６  Ｑ信号出力端子
４７、４８  内蔵アンテナ
４９  局部発振器（Ｌ  ＯＳＣ）
５０  水晶振動子
５１  制御信号入力端子
【図１】
2005020495.tif 000003